(57)【要約】【課題】  コストアップや大型化を抑制または防止しつつ、設定項目が増加しても操作性の良好な電子機器及び指標付画像の表示方法を提供する。【解決手段】  上方から見て、携帯電話機１の上面中心を通る軸を回転中心Ｏ1として携帯電話機１が反時計回りに回転されると、表示制御部は、画像表示部５に表示されるカーソルＣＳＬ１の表示位置をＸ軸方向左側から右側に移動させる。また、右側方から見て、携帯電話機１の右側面中心を通る軸を回転中心Ｏ2として携帯電話機１が時計回りに回転される（すなわち携帯電話機１の上部を手前から向こう側に向かって振る動作が行われる）と、表示制御部は、画像表示部５に表示されるカーソルＣＳＬ１の表示位置をＹ軸方向下側から上側に移動させる。【選択図】      図３
2006146455.tif 000002
【特許請求の範囲】
【請求項１】
指標を有する画像を表示する表示部と、
当該電子機器の動きを検出する検出手段と、
前記表示部に表示する前記指標の表示位置を、前記表示部に表示される前記画像に対し、前記検出手段により検出された電子機器の動きに応じて相対移動させる表示制御手段とを備えることを特徴とする電子機器。
【請求項２】
前記表示制御手段は、前記表示部に表示する前記指標の表示位置を、前記表示部に表示される前記画像に対し、前記検出手段により検出された電子機器の動きと同一方向又は反対方向に相対移動させることを特徴とする請求項１に記載の電子機器。
【請求項３】
前記検出手段は、前記表示部の表示面に平行な方向における当該電子機器の動きを検出し、前記表示制御手段は、前記平行な方向における電子機器の動きと同一方向又は反対方向に前記指標の表示位置を相対移動させることを特徴とする請求項１または２に記載の電子機器。
【請求項４】
前記検出手段は、前記表示部の表示面に平行な軸を中心とする当該電子機器の回転動作を検出し、前記表示制御手段は、前記指標の表示位置を通り前記表示面と前記軸とに直交する平面と前記表示面との交線上で前記指標の表示位置を相対移動させることを特徴とする請求項１に記載の電子機器。
【請求項５】
当該電子機器のうち前記表示面を有する面を前面とし、且つ、前記表示部の表示態様における上下方向を当該電子機器の上下方向とするとき、前記表示制御手段は、前記電子機器の回転動作により、当該電子機器の上端部が前記前面から背面に向かう方向に移動されるとき、及び／又は当該電子機器の下端部が前記背面から前面に向かう方向に移動されるときには、前記指標の表示位置を前記交線上の上側から下側に又は下側から上側に相対移動させ、当該電子機器の上端部が前記背面から前面に向かう方向に移動されるとき、及び／又は当該電子機器の下端部が前記前面から背面に向かう方向に移動されるときには、前記指標の表示位置を前記交線上の下側から上側に又は上側から下側に相対移動させることを特徴とする請求項４に記載の電子機器。
【請求項６】
当該電子機器のうち前記表示面を有する面を前面とし、且つ、前記表示部の表示態様における左右方向を当該電子機器の左右方向とするとき、前記表示制御手段は、前記電子機器の回転動作により、当該電子機器の左端部が前記前面から背面に向かう方向に移動されるとき、及び／又は当該電子機器の右端部が前記背面から前面に向かう方向に移動されるときには、前記指標の表示位置を前記交線上の左側から右側に又は右側から左側に相対移動させ、当該電子機器の左端部が前記背面から前面に向かう方向に移動されるとき、及び／又は当該電子機器の右端部が前記前面から背面に向かう方向に移動されるときには、前記指標の表示位置を前記交線上の右側から左側に又は左側から右側に相対移動させることを特徴とする請求項４または５に記載の電子機器。
【請求項７】
前記表示部には、複数の設定項目が表示され、前記指標は、その設定項目の中から所望の設定項目を指定するためのものであることを特徴とする請求項１ないし６のいずれかに記載の電子機器。
【請求項８】
前記検出手段は、さらに前記表示部の表示面に対する法線方向の当該電子機器の動きを検出することを特徴とする請求項１ないし７のいずれかに記載の電子機器。
【請求項９】
前記検出手段により前記法線方向のうち前記表示面からその裏面に向かう方向における当該電子機器の動きが検出されたとき、所望の設定項目が前記指標により指定された設定項目に決定されたものと判断する判断手段を有することを特徴とする請求項８に記載の電子機器。
【請求項１０】
被写体の光像を結像する撮影光学系と、前記撮影光学系の結像面上に撮像面が配置された前記撮像素子とを備え、前記表示部には、前記撮像素子による撮像動作によって得られた画像が表示され、前記指標は、その画像の一部を指定するためのものであることを特徴とする請求項１ないし９のいずれかに記載の電子機器。
【請求項１１】
他の電子機器との間で情報の授受を行う通信手段を更に備えていることを特徴とする請求項１ないし１０のいずれかに記載の電子機器。
【請求項１２】
指標を有する画像を表示部に表示した場合において、
当該電子機器の動きを検出し、
前記表示部に表示する前記指標の表示位置を、前記表示部に表示される前記画像に対し、検出された電子機器の動きに応じて相対移動させることを特徴とする指標付画像の表示方法。
【請求項１３】
前記表示部の表示面に平行な方向における当該表示部の動きを検出し、前記平行な方向における前記表示部の動きと同一方向又は反対方向に前記指標の表示位置を相対移動させることを特徴とする請求項１２に記載の指標付画像の表示方法。
【請求項１４】
前記表示部の表示面に平行な軸を中心とする当該表示部の回転動作を検出し、前記指標の表示位置を通り前記表示面と前記軸とに直交する平面と前記表示面との交線上で前記指標の表示位置を相対移動させることを特徴とする請求項１２に記載の指標付画像の表示方法。
【発明の詳細な説明】
【技術分野】
【０００１】
本発明は、画像の表示部を備えた電子機器の技術分野に属し、特にその表示部に表示される指標の表示位置を移動する指標付画像の表示方法に関する。
【背景技術】
【０００２】
携帯電話機等の電子機器の分野において、複数の文字、記号等や複数のメニュー等を例えばマトリックス状に配列して表示部に表示し、その中から所望の文字等を、左右の方向や上下の方向を示す矢印キーや、例えば図１１に示すように、電話番号を入力するためのボタンとは別に設けられた例えば十字キー等の操作部材によって選択するように構成されたものが広く知られている（例えば、下記特許文献１，２参照）。この十字キーは、図１１に示すように、円周方向に一定間隔で配置された複数の押圧部（図中の三角印の部分）を備える環状の部材を有し、各押圧部に対応して備えられた図略の接点（スイッチ）により押圧部の押圧操作が検出されるように構成されており、前記各押圧部を複数回押圧してカーソルを所望の選択対象まで移動させる。
【０００３】
一方、下記特許文献３には、パーソナルコンピュータ等の分野において、マウスにジャイロセンサを内蔵し、このジャイロセンサによりマウスの動き（操作方向及び操作速度）を検出する技術が開示されている。
【特許文献１】特開２０００−１８７５４３号公報
【特許文献２】特開２００２−１９６８６７号公報
【特許文献３】特開平７−６４７１１号公報
【発明の開示】
【発明が解決しようとする課題】
【０００４】
しかしながら、前記特許文献１，２の技術にあっては、複数の文字、記号等や複数のメニュー等の設定項目が増加すると、その操作部材の操作が煩雑化する。このような操作部材の操作の煩雑化を抑制するために、例えば操作部材の数を増加させると、新たな操作部材を設ける分、装置のコストアップを招来する。また、特に携帯電話機等の携帯性を有する電子機器は小型化も要求されるものであるが、上記のように操作部材の数を増やすと、該装置の大型化を招来することとなる。
【０００５】
また、前記特許文献３の技術を小型化が要求される電子機器に適用し、データを入力する装置（マウス）を装置本体と別体とすると、該電子機器の大型化やコストアップを招来するだけでなく、携帯性も損なわれる。
【０００６】
本発明は、上記事情に鑑みてなされたもので、コストアップや大型化を抑制または防止しつつ、設定項目が増加しても操作性の良好な電子機器及び指標付画像の表示方法を提供することを目的とする。
【課題を解決するための手段】
【０００７】
請求項１に記載の発明は、指標を有する画像を表示する表示部と、当該電子機器の動きを検出する検出手段と、前記表示部に表示する前記指標の表示位置を、前記表示部に表示される前記画像に対し、前記検出手段により検出された電子機器の動きに応じて相対移動させる表示制御手段とを備えることを特徴とする電子機器である。
【０００８】
請求項１２に記載の発明は、指標を有する画像を表示部に表示した場合において、当該電子機器の動きを検出し、前記表示部に表示する前記指標の表示位置を、前記表示部に表示される前記画像に対し、検出された電子機器の動きに応じて相対移動させることを特徴とする指標付画像の表示方法である。
【０００９】
これらの発明によれば、表示部に表示する指標の表示位置が、前記表示部に表示される画像に対し、検出手段により検出された電子機器の動きに応じて相対移動される。これにより、電子機器に動きを与えることで、指標の表示位置の移動が可能となる。
【００１０】
請求項２に記載の発明は、請求項１に記載の電子機器において、前記表示制御手段は、前記表示部に表示する前記指標の表示位置を、前記表示部に表示される前記画像に対し、前記検出手段により検出された電子機器の動きと同一方向又は反対方向に相対移動させることを特徴とするものである。
【００１１】
この発明によれば、表示部に表示する指標の表示位置が、前記表示部に表示される画像に対し、検出手段により検出された電子機器の動きと同一方向又は反対方向に相対移動される。
【００１２】
請求項３に記載の発明は、請求項１または２に記載の電子機器において、前記検出手段は、前記表示部の表示面に平行な方向における当該電子機器の動きを検出し、前記表示制御手段は、前記平行な方向における電子機器の動きと同一方向又は反対方向に前記指標の表示位置を相対移動させることを特徴とするものである。
【００１３】
請求項１３に記載の発明は、請求項１２に記載の指標付画像の表示方法において、前記表示部の表示面に平行な方向における当該表示部の動きを検出し、前記平行な方向における前記表示部の動きと同一方向又は反対方向に前記指標の表示位置を相対移動させることを特徴とするものである。
【００１４】
これらの発明によれば、検出手段により、表示部の表示面に平行な方向における当該電子機器の動きが検出され、指標の表示位置は、前記平行な方向における電子機器の動きと同一方向又は反対方向に相対移動される。したがって、電子機器の使用者は、該電子機器を所望の平行方向に揺動させるだけで、指標の表示位置を意図する方向へ移動させることができるようになる。
【００１５】
請求項４に記載の発明は、請求項１に記載の電子機器において、前記検出手段は、前記表示部の表示面に平行な軸を中心とする当該電子機器の回転動作を検出し、前記表示制御手段は、前記指標の表示位置を通り前記表示面と前記軸とに直交する平面と前記表示面との交線上で前記指標の表示位置を相対移動させることを特徴とするものである。
【００１６】
請求項１４に記載の発明は、請求項１２に記載の指標付画像の表示方法において、前記表示部の表示面に平行な軸を中心とする当該表示部の回転動作を検出し、前記指標の表示位置を通り前記表示面と前記軸とに直交する平面と前記表示面との交線上で前記指標の表示位置を相対移動させることを特徴とするものである。
【００１７】
これらの発明によれば、検出手段により、表示部の表示面に平行な軸を中心とする当該電子機器の回転動作が検出され、指標の表示位置は、該指標の表示位置を通り表示面と前記平行な軸とに直交する平面と表示面との交線上で相対移動される。したがって、電子機器の使用者は、該電子機器に所望の回転揺動を与えるだけで、指標の表示位置を意図する方向へ移動させることができるようになる。
【００１８】
請求項５に記載の発明は、請求項４に記載の電子機器において、当該電子機器のうち前記表示面を有する面を前面とし、且つ、前記表示部の表示態様における上下方向を当該電子機器の上下方向とするとき、前記表示制御手段は、前記電子機器の回転動作により、当該電子機器の上端部が前記前面から背面に向かう方向に移動されるとき、及び／又は当該電子機器の下端部が前記背面から前面に向かう方向に移動されるときには、前記指標の表示位置を前記交線上の上側から下側に又は下側から上側に相対移動させ、当該電子機器の上端部が前記背面から前面に向かう方向に移動されるとき、及び／又は当該電子機器の下端部が前記前面から背面に向かう方向に移動されるときには、前記指標の表示位置を前記交線上の下側から上側に又は上側から下側に相対移動させることを特徴とするものである。
【００１９】
請求項６に記載の発明は、請求項４または５に記載の電子機器において、当該電子機器のうち前記表示面を有する面を前面とし、且つ、前記表示部の表示態様における左右方向を当該電子機器の左右方向とするとき、前記表示制御手段は、前記電子機器の回転動作により、当該電子機器の左端部が前記前面から背面に向かう方向に移動されるとき、及び／又は当該電子機器の右端部が前記背面から前面に向かう方向に移動されるときには、前記指標の表示位置を前記交線上の左側から右側に又は右側から左側に相対移動させ、当該電子機器の左端部が前記背面から前面に向かう方向に移動されるとき、及び／又は当該電子機器の右端部が前記前面から背面に向かう方向に移動されるときには、前記指標の表示位置を前記交線上の右側から左側に又は左側から右側に相対移動させることを特徴とするものである。
【００２０】
これらの発明によれば、指標の表示位置を前記交線上で相対移動させる形態として、例えば、請求項５に記載の発明のように、電子機器の上端部が前記前面から背面に向かう方向に移動されるとき、及び／又は当該電子機器の下端部が前記背面から前面に向かう方向に移動されるときには、前記指標の表示位置を前記交線上の上側から下側に又は下側から上側に相対移動させる形態、当該電子機器の上端部が前記背面から前面に向かう方向に移動されるとき、及び／又は当該電子機器の下端部が前記前面から背面に向かう方向に移動されるときには、前記指標の表示位置を前記交線上の下側から上側に又は上側から下側に相対移動させる形態や、請求項６に記載の発明にように、電子機器の左端部が前記前面から背面に向かう方向に移動されるとき、及び／又は当該電子機器の右端部が前記背面から前面に向かう方向に移動されるときには、前記指標の表示位置を前記交線上の左側から右側に又は右側から左側に相対移動させる形態、当該電子機器の左端部が前記背面から前面に向かう方向に移動されるとき、及び／又は当該電子機器の右端部が前記前面から背面に向かう方向に移動されるときには、前記指標の表示位置を前記交線上の右側から左側に又は左側から右側に相対移動させる形態が考えられる。電子機器の形状や表示部の表示態様等に応じて適切な指標の相対移動の形態が設定される。
【００２１】
請求項７に記載の発明は、請求項１ないし６のいずれかに記載の電子機器において、前記表示部には、複数の設定項目が表示され、前記指標は、その設定項目の中から所望の設定項目を指定するためのものであることを特徴とするものである。
【００２２】
この発明によれば、表示部に表示された複数の設定項目の中から、指標を介して所望の設定項目を指定することができる。
【００２３】
請求項８に記載の発明は、請求項１ないし７のいずれかに記載の電子機器において、前記検出手段は、さらに前記表示部の表示面に対する法線方向の当該電子機器の動きを検出することを特徴とするものである。
【００２４】
この発明によれば、表示部の表示面に対する法線方向の当該電子機器の動きが検出される。
【００２５】
請求項９に記載の発明は、請求項８に記載の電子機器において、前記検出手段により前記法線方向のうち前記表示面からその裏面に向かう方向における当該電子機器の動きが検出されたとき、所望の設定項目が前記指標により指定された設定項目に決定されたものと判断する判断手段を有することを特徴とするものである。
【００２６】
この発明によれば、検出手段により当該電子機器が前記法線方向のうち前記表示面からその裏面に向かう方向の動きが検出されたとき、所望の設定項目が前記指標により指定された設定項目に決定されたものと判断される。
【００２７】
請求項１０に記載の発明は、請求項１ないし９のいずれかに記載の電子機器において、被写体の光像を結像する撮影光学系と、前記撮影光学系の結像面上に撮像面が配置された前記撮像素子とを備え、前記表示部には、前記撮像素子による撮像動作によって得られた画像が表示され、前記指標は、その画像の一部を指定するためのものであることを特徴とするものである。
【００２８】
この発明によれば、被写体の光像を結像する撮影光学系と、前記撮影光学系の結像面上に撮像面が配置された前記撮像素子とを備えた電子機器において、撮像素子による撮像動作によって得られ表示面に表示された画像の一部を指標によって指定する場合に、請求項１ないし９のいずれかに記載の発明の効果が得られる。
【００２９】
請求項１１に記載の発明は、請求項１ないし１０のいずれかに記載の電子機器において、他の電子機器との間で情報の授受を行う通信手段を更に備えていることを特徴とするものである。
【００３０】
この発明によれば、他の電子機器との間で情報の授受を行う通信手段を更に備えた電子機器において、請求項１ないし１０のいずれかに記載の発明の効果が得られる。
【発明の効果】
【００３１】
本発明によれば、電子機器に動きを与えるだけで指標の移動を行うことができるから、設定項目が増加しても該項目を選択するためのスイッチやボタンを増やす必要がない。また、電子機器に動きを与えるだけで指標の表示位置が移動するようにしたから、該指標の移動を簡単な操作で行うことができる。したがって、コストアップや大型化を抑制または防止しつつ、設定項目が増加しても操作性の良好な電子機器が得られる。
【発明を実施するための最良の形態】
【００３２】
以下、本発明の実施形態について説明する。図１は、第１実施形態の電子機器を示しており、携帯電話機の外観斜視図である。
【００３３】
図１に示すように、携帯電話機１は、他人が所有する図略の携帯電話機を介してその所有者と通話によるコミュニケーションを行うことができるものであり、操作部２、音入力部３、音出力部４、画像表示部５、アンテナ６、決定ボタン７及び動き検出部８とを有する。なお、図１においては、携帯電話機１に内蔵される動き検出部８を図示するため、該携帯電話機１の一部を破断した状態を示している。
【００３４】
操作部２は、数字や機能等が割り当てられた複数のプッシュボタンがマトリックス状に配列されてなり、電話番号や各種のコマンド等を入力するためのものである。
【００３５】
音入力部３は、当該携帯電話機１の使用者の音声等を入力するためのものであり、例えば音声を電気信号に変換するマイクロホン等で構成される。
【００３６】
音出力部４は、他の通信機器から送出された音声等を外部に出力するものであり、例えば電気信号を音に変換するスピーカ等で構成される。
【００３７】
画像表示部５は、例えばＬＣＤ（Liquid Crystal Display）であり、プッシュボタンにより入力された電話番号や前記各種の設定画面を表示するものである。なお、画像表示部５は、ＬＣＤに限られず、有機ＥＬやプラズマ表示装置であってもよい。なお、図１は、画像表示部５の表示画面にカーソル（指標）ＣＳＬ１が表示されている状態を示している。
【００３８】
アンテナ６は、他の通信機器との間で通信を行うべく電波の送受信を行うためのものである。
【００３９】
決定ボタン７は、表示部に表示された各種の設定画面において、複数の設定項目の中から所望の設定項目を決定する指示を入力するためのものである。
【００４０】
動き検出部８は、携帯電話機１の動きを検出するためのものであり、図１に示す携帯電話機１の幅方向をＸ軸、長さ方向をＹ軸、厚み方向をＺ軸とする３次元座標系を想定するものとすると、携帯電話機１のＸ軸方向の動きを検出するＸセンサ９と、携帯電話機１のＹ軸方向の動きを検出するＹセンサ１０と、携帯電話機１のＺ軸方向の動きを検出するＺセンサ１１とからなる。Ｘセンサ９、Ｙセンサ１０及びＺセンサ１１は、例えば圧電素子を用いたジャイロから構成され、各方向の動きの角速度を検出するものである。動き検出部８は、特許請求の範囲における検出手段の一例である。
【００４１】
図２は、携帯電話機１の電気的な構成を示すブロック図である。
【００４２】
図２に示すように、携帯電話機１は、画像表示部５と、音入力部３と、音出力部４と、動き検出部８と、入力操作部１２と、回転角検出部１３と、無線通信部１４と、全体制御部１５とを備えて構成されている。
【００４３】
音入力部３、音出力部４、画像表示部５及び動き検出部８は、図１に示す音入力部３、音出力部４、画像表示部５及び動き検出部８に相当するものである。入力操作部１２は、前述の操作部２及び決定ボタン７を含むものである。
【００４４】
回転角検出部１３は、Ｘセンサ９、Ｙセンサ１０及びＺセンサ１１から出力された角速度信号からノイズ及びドリフトを低減するためのフィルタ回路（ローパスフィルター及びハイパスフィルタ）及び各角速度信号を増幅するための増幅回路などを備えて構成されている。
【００４５】
無線通信部１４は、例えば、デュープレクサ、ＬＮＡ（Low Noise Amplifier）、ＳＡＷ（Surface Acoustic Wave）フィルタ、ＰＬＬ（Phase Locked Loop〉周波数シンセサイザ、ＭＩＸ、変復調器、音声符復号器、ＰＡ（Power Amplifier）等を備えてなり、図略の通信ネットワーク及びアンテナ６を介して他の携帯電話機１等との間で音声データや画像データ等をデータを所定の受信周波数及び送信周波数で無線通信を行うものである。無線通信部１４は、特許請求の範囲における通信手段の一例である。
【００４６】
全体制御部１５は、例えば制御プログラムを記憶するＲＯＭや一時的にデータを記憶するＲＡＭからなる記憶部が内蔵されたマイクロコンピュータからなり、上述した携帯電話機１及び携帯電話機１本体内の各部材の駆動を関連付けて制御するものである。
【００４７】
また、全体制御部１５は、機能的に、伝送信号処理部１６と、表示制御部１７と、判断部１８と、処理部１９とを備える。
【００４８】
伝送信号処理部１６は、無線通信部１４により受信されたデータや前記無線通信部１４に出力するデータに所定の処理を施すものである。例えば、伝送信号処理部１６は、無線通信部１４により受信されたデータに伸長処理を施したり、無線通信部１４に出力するデータに圧縮処理を施したりする。
【００４９】
表示制御部１７は、動き検出部８からの検出信号に基づいて、画像表示部５に表示されているカーソル（指標）ＣＳＬ１の表示位置を変更する処理を行うものである。表示制御部１７は、特許請求の範囲における表示制御手段の一例である。図３は、携帯電話機１の動きに応じた表示制御部１７によるカーソル（指標）ＣＳＬ１の表示位置変更処理を説明するための図である。なお、図３に示すＸ軸及びＹ軸は、図１に示すＸ軸及びＹ軸に相当する。
【００５０】
表示制御部１７は、Ｙ軸又はＹ軸と平行な軸を回転中心として携帯電話機１を回転させると、画像表示部５上のカーソルＣＳＬ１を、該画像表示部５に表示されている画像に対してＸ軸方向に移動させる。例えば、図３に示すように、上方から見て、携帯電話機１の上面中心を通る軸を回転中心Ｏ1として携帯電話機１が反時計回りに回転されると、表示制御部１７は、画像表示部５に表示されるカーソルＣＳＬ１の表示位置をＸ軸方向左側から右側に移動させる。また、同じく上方から見て、前記中心Ｏ1を回転中心として携帯電話機１が時計回りに回転されると、表示制御部１７は、カーソルＣＳＬ１の表示位置をＸ軸方向右側から左側に移動させる。
【００５１】
また、画像表示部５に表示されるカーソルＣＳＬ１の表示位置の移動量ｄｘ（アンテナ６を上方にして画像表示部５を見たときに左側から右側に向かう方向を正）は、Ｙ軸又はＹ軸と平行な軸を回転中心とする回転角をｄφ（上方から見て、時計回りを正）としたとき、下記式（１）にしたがって算出される。
ｄｘ＝Ａ・ｄφ        ・・・（１）
但し、Ａは定数
【００５２】
さらに、表示制御部１７は、Ｘ軸又はＸ軸と平行な軸を回転中心として携帯電話機１を回転させると、画像表示部５上のカーソルＣＳＬ１を、該画像表示部５に表示されている画像に対してＹ軸方向に移動させる。例えば、図３に示すように、右側方から見て、携帯電話機１の右側面中心を通る軸を回転中心Ｏ2として携帯電話機１が反時計回りに回転される（すなわち携帯電話機１の上部を向こう側から手前に向かって振る動作が行われる）と、表示制御部１７は、画像表示部５に表示されるカーソルＣＳＬ１の表示位置をＹ軸方向上側から下側に移動させる。また、同じく右側方から見て、前記中心Ｏ2を回転中心として携帯電話機１が時計回りに回転される（すなわち携帯電話機１の上部を手前から向こう側に向かって振る動作が行われる）と、表示制御部１７は、カーソルＣＳＬ１の表示位置をＹ軸方向下側から上側に移動させる。
【００５３】
また、画像表示部５に表示されるカーソルＣＳＬ１の表示位置の移動量ｄｙ（アンテナ６を上方にして正面から見たときに下側から上側に向かう方向を正）は、Ｘ軸又はＸ軸と平行な軸を回転中心とする回転角をｄθ（右側方から見て、時計回りを正）とすると、下記式（２）にしたがって算出される。
ｄｙ＝Ｂ・ｄθ        ・・・（２）
但し、Ｂは定数
【００５４】
なお、定数Ａ，Ｂは、携帯電話機１の回転量に対するカーソルＣＳＬ１の表示位置の移動量を決定するものであり、操作性を考慮して設定される。すなわち、例えば画像表示部５に表示されている設定項目が比較的多い場合に、携帯電話機１の回転量が比較的少ないのにカーソルＣＳＬ１の表示位置を大きく移動させると、所望の設定項目に対応する位置をカーソルＣＬＳ１が通過することが多くなり、該カーソルＣＬＳ１をその位置に位置させにくくなる。また、画像表示部５に表示されている設定項目が比較的少ない場合に、携帯電話機１の回転量が比較的大きいのにカーソルＣＳＬ１の表示位置を小さく移動させると、所望の設定項目に対応する位置にカーソルＣＬＳ１を到達させるのに極めて大きく携帯電話機１を回転させたり何度も携帯電話機１を回転させたりする必要が生じ、いずれも携帯電話機１の操作性が低くなる。そこで、このような不具合が発生しないように又は抑制するように定数Ａ，Ｂが決定される。なお、定数Ａ，Ｂは、画面の種類に拘わらず一定にしてもよいが、前述のような事情から例えば画面の種類に応じて変化させるようにすると更に好ましい。
【００５５】
判断部１８は、決定ボタン７が押圧されたとき、その押圧時点におけるカーソルＣＳＬ１の位置に対応する設定項目で決定したものと判断するものである。判断部１８は、特許請求の範囲における判断手段の一例である。
【００５６】
処理部１９は、判断部１８によりカーソルＣＳＬ１の位置に対応する設定項目で決定したものと判断されると、その設定項目に対応する処理を実行するものである。
【００５７】
次に、本実施形態の携帯電話機１による表示処理を説明する。図４は、この表示処理を示すフローチャートである。なお、携帯電話機１は、図５に示すメニューを表示した画面（メニュー画面）を表示する指示が行われたものとする。
【００５８】
図４に示すように、メニュー画面の表示指示が行われると、全体制御部１５は、画像表示部５にメニュー画面を表示させる（ステップ♯１）。次に、全体制御部１５は、メニュー画面の表示をキャンセルする指示が行われたか否かを判断し（ステップ♯２）、そのキャンセル指示が行われた場合には（ステップ♯２でＹＥＳ）、画像表示部５にメニューの表示を終了させる（ステップ♯７）一方、キャンセル指示が行われていない場合には（ステップ♯２でＹＥＳ）、決定ボタン７が押圧されたか否かを判断する（ステップ♯３）。
【００５９】
そして、全体制御部１５は、決定ボタン７が押圧されていない場合（ステップ♯３でＮＯ）、Ｘ軸又はＸ軸と平行な軸を回転中心、若しくはＹ軸又はＹ軸と平行な軸を回転中心とする携帯電話機１の回転動作を検知すると（ステップ♯４でＹＥＳ）、その検知した携帯電話機１の回転動作に応じて画像表示部５上のカーソルＣＳＬ１の表示位置を変更する（ステップ♯５，♯６）。
【００６０】
すなわち、Ｙ軸又はＹ軸と平行な軸を回転中心とする回転角をｄφ、Ｘ軸又はＸ軸と平行な軸を回転中心とする回転角をｄθとすると、前記式（１），（２）によりカーソルＣＳＬ１の表示位置の移動量（ｄｘ，ｄｙ）を算出し、その移動量（ｄｘ，ｄｙ）だけカーソルＣＳＬ１の表示位置を移動させる。
【００６１】
例えば、図５（ａ）に示すように、８（個）の設定項目がマトリックス状（縦４（個）×横２（個））に画像表示部５に表示されており、そのうち左側の列の上から３つ目の「電話番号表示」の項目にカーソルＣＳＬ１が位置している場合において、携帯電話機１が、該携帯電話機１を上方から見て、携帯電話機１の上面中心を通る軸を回転中心Ｏ1（図３参照）として反時計回りに所定量回転され、且つ、右側方から見て、携帯電話機１の右側面中心を通る軸を回転中心Ｏ2（図３参照）として携帯電話機１が時計回りに所定量回転されると、全体制御部１５は、図５（ｂ）に示すように、右側の列の上から１つ目の「プライバシー」の項目にカーソルＣＳＬ１を位置させる。
【００６２】
なお、図５に示す例は、カーソルＣＳＬ１が表示され得る位置が予め離散的に複数設定されている場合を示しているものであり、移動量（ｄｘ，ｄｙ）だけ移動した位置に最も近い位置にカーソルＣＳＬ１が移動される。
【００６３】
そして、全体制御部１５は、ステップ♯３において決定ボタン７が押圧されたと判断すると（ステップ♯３でＹＥＳ）、その押圧時点におけるカーソルＣＳＬ１の位置に対応する設定項目で決定したものと判断し（ステップ♯６）、画像表示部５にメニューの表示を終了させる（ステップ♯７）。
【００６４】
このように、携帯電話機１を動かすことで、画像表示部５に表示されるカーソルＣＳＬ１の表示位置を移動可能に構成したので、例えば親指以外の指で携帯電話機１を保持しながら親指でボタン等の操作を行うというような煩わしい操作が不要となる。すなわち、図１１に示す従来の十字キーで図５（ａ）に示す表示状態から図５（ｂ）に示す表示状態とするためには、親指以外の指で携帯電話機１を保持しながら、右向き矢印キーを１回、上向き矢印キーを２回親指で操作する必要があるが、本実施形態では、このような煩わしい操作は不要となるため、携帯電話機１の操作性を向上することができる。また、該カーソルＣＳＬ１の移動を指示するためのボタンやスイッチ等を設けない分、携帯電話機１の小型化やコストの低減を図ることができる。
【００６５】
前記実施形態に加えて、あるいは前記実施形態に代えて次の形態［１］〜［１１］に説明する変形形態も採用可能である。
【００６６】
［１］前記第１の実施形態においては、上方から見て、携帯電話機１の上面中心を通る軸を回転中心Ｏ1として携帯電話機１が反時計回りに回転されると、画像表示部５に表示されるカーソルＣＳＬ１の表示位置をＸ軸方向左側から右側に移動させ、携帯電話機１が時計回りに回転されると、カーソルＣＳＬ１の表示位置をＸ軸方向右側から左側に移動させるようにしたが、この逆でもよい。
【００６７】
すなわち、上方から見て、携帯電話機１が反時計回りに回転されると、画像表示部５に表示されるカーソルＣＳＬ１の表示位置をＸ軸方向右側から左側に移動させ、携帯電話機１が時計回りに回転されると、カーソルＣＳＬ１の表示位置をＸ軸方向左側から右側に移動させるようにしてもよい。
【００６８】
また、前記第１の実施形態においては、右側方から見て、携帯電話機１の右側面中心を通る軸を回転中心Ｏ2として携帯電話機１が反時計回りに回転されると、画像表示部５に表示されるカーソルＣＳＬ１の表示位置をＹ軸方向上側から下側に移動させ、携帯電話機１が時計回りに回転されると、カーソルＣＳＬ１の表示位置をＹ軸方向下側から上側に移動させるようにしたが、この逆でもよい。
【００６９】
すなわち、右側方から見て、携帯電話機１が反時計回りに回転されると、画像表示部５に表示されるカーソルＣＳＬ１の表示位置をＹ軸方向下側から上側に移動させ、携帯電話機１が時計回りに回転されると、カーソルＣＳＬ１の表示位置をＹ軸方向上側から下側に移動させるようにしてもよい。
【００７０】
［２］前記第１の実施形態においては、携帯電話機１の各方向の角速度を検知し、この検知した角速度に応じてカーソルＣＳＬ１を移動させるようにしたが、これに限らず、動き検出部８を、図１におけるＸ軸方向、Ｙ軸方向及びＺ軸方向の各方向の加速度を検知する複数の加速度センサで構成し、各加速度センサで検知した加速度に応じてカーソルＣＳＬ１を移動させるようにしてもよい。以下、この実施形態について説明する。なお、本実施形態においては、前記第１の実施形態と略同様の電気的な構成を有するが、全体制御部１５の機能が第１の実施形態と異なる。第１の実施形態と略同様の構成を有する部材については同一の番号を付す。
【００７１】
図６は、携帯電話機１の加速度に応じてカーソルＣＳＬ１を移動させる場合における携帯電話機１の動きに応じた表示制御部１７によるカーソル（指標）ＣＳＬ１の表示位置変更処理を説明するための図である。
【００７２】
図６に示すように、表示制御部１７は、Ｘ軸方向のうち一方向に携帯電話機１を移動させると、画像表示部５上のカーソルＣＳＬ１を、該画像表示部５に表示されている画像に対して前記一方向と反対方向に移動させる。例えば、図６に示すように、正面から見て、携帯電話機１がＸ軸方向左側から右側に移動されると、表示制御部１７は、画像表示部５に表示されるカーソルＣＳＬ１の表示位置を右側から左側に移動させる。また、同じく正面から見て、携帯電話機１がＸ軸方向右側から左側に移動されると、表示制御部１７は、カーソルＣＳＬ１の表示位置をＸ軸方向左側から右側に移動させる。
【００７３】
カーソルＣＳＬ１の表示位置のＸ軸方向における移動量ｄｘは、携帯電話機１のＸ軸方向の移動量をｄＸ（正面から見て、右側を正）とすると、下記式（３）にしたがって算出される。
ｄｘ＝Ｃ・ｄＸ        ・・・（３）
但し、Ｃは定数
【００７４】
さらに、表示制御部１７は、Ｙ軸方向のうち一方向に携帯電話機１を移動させると、画像表示部５上のカーソルＣＳＬ１を、該画像表示部５に表示されている画像に対して前記一方向と反対方向に移動させる。例えば、図６に示すように、正面から見て、携帯電話機１がＹ軸方向下側から上側に移動されると、表示制御部１７は、画像表示部５に表示されるカーソルＣＳＬ１の表示位置をＹ軸方向上側から下側に移動させる。また、同じく正面から見て、携帯電話機１がＹ軸方向上側から下側に移動されると、表示制御部１７は、カーソルＣＳＬ１の表示位置をＹ軸方向下側から上側に移動させる。
【００７５】
カーソルＣＳＬ１の表示位置のＹ軸方向における移動量ｄｙは、携帯電話機１のＹ軸方向の移動量をｄＹ（正面から見て、右側を正）とすると、下記式（４）にしたがって算出される。
ｄｙ＝Ｄ・ｄＹ        ・・・（４）
但し、Ｄは定数
【００７６】
判断部１８は、携帯電話機１が、表示面の法線方向（Ｚ軸方向）のうち該携帯電話機１の表面（表示面）側から裏面に向かう方向に加速度が生じたとき、すなわち携帯電話機１が手前から向こう側に向かって移動されたとき、その時点におけるカーソルＣＳＬ１の位置に対応する設定項目で決定したものと判断するものである。なお、微少な携帯電話機１の動きで前記判断が行われないように、前記判断基準となる加速度の閾値を設定すると好ましい。判断部１８は、特許請求の範囲における判断手段の一例である。
【００７７】
処理部１９は、判断部１８によりカーソルＣＳＬ１の位置に対応する設定項目で決定したものと判断されると、その設定項目に対応する処理を実行するものである。
【００７８】
本実施形態の携帯電話機１による表示処理は、前記第１の実施形態（図４に示すフローチャート）のステップ♯４，♯５の処理において、角速度センサの検出信号に代えて、加速度センサの検出信号を用いて携帯電話機１の動きを検出し、その動きに応じてカーソルＣＳＬ１の表示位置の移動を行う点が異なること、及びステップ♯６において、設定項目の決定に際して行われる携帯電話機１に対する操作が、決定ボタン７の押圧操作に代えて、Ｚ軸方向手前側から向こう側への移動操作によって行われることが異なるのみで、他の処理については前記第１の実施形態と同様である。
【００７９】
このように、本実施形態においても、携帯電話機１を動かすことで、画像表示部５に表示されるカーソルＣＳＬ１の表示位置を移動可能に構成したので、第１の実施形態と同様に携帯電話機１の操作性を向上することができる。特に、本実施形態では、設定項目の決定指示についても、携帯電話機１のＺ軸方向手前側から向こう側への移動操作によって行えるようにしたので、第１の実施形態よりさらに操作性の向上を実現することができるとともに、第１の実施形態のように決定ボタン７を設けない分、第１の実施形態の比して更なる携帯電話機１の小型化やコストの低減を図ることができる。
【００８０】
［３］前記変形形態［２］においては、正面から見て、携帯電話機１がＸ軸方向左側から右側に移動されると、画像表示部５に表示されるカーソルＣＳＬ１の表示位置をＸ軸方向右側から左側に移動させ、携帯電話機１がＸ軸方向右側から左側に移動されると、表示制御部１７は、カーソルＣＳＬ１の表示位置をＸ軸方向左側から右側に移動させるようにしたが、この逆でもよい。
【００８１】
すなわち、正面から見て、携帯電話機１がＸ軸方向左側から右側に移動されると、カーソルＣＳＬ１の表示位置をＸ軸方向左側から右側に移動させ、携帯電話機１がＸ軸方向右側から左側に移動されると、画像表示部５に表示されるカーソルＣＳＬ１の表示位置をＸ軸方向右側から左側に移動させるようにしてもよい。
【００８２】
また、前記変形形態［２］においては、正面から見て、携帯電話機１がＹ軸方向下側から上側に移動されると、カーソルＣＳＬ１の表示位置を上側から下側に移動させ、携帯電話機１がＹ軸方向上側から下側に移動されると、表示制御部１７は、カーソルＣＳＬ１の表示位置をＹ軸方向下側から上側に移動させるようにしたが、この逆でもよい。
【００８３】
すなわち、正面から見て、携帯電話機１がＹ軸方向下側から上側に移動されると、カーソルＣＳＬ１の表示位置をＹ軸方向下側から上側に移動させ、携帯電話機１がＹ軸方向上側から下側に移動されると、カーソルＣＳＬ１の表示位置をＹ軸方向上側から下側に移動させるようにしてもよい。
【００８４】
［４］本件の技術の適用対象は、前述の携帯電話機１に限られず、例えば以下に説明するデジタルカメラにも適用可能である。図７は、第２実施形態の電子機器を示すものであり、デジタルカメラの構成を示す正面図、図８は、当該デジタルカメラの構成を示す背面図である。
【００８５】
図７、図８に示すように、デジタルカメラ２０は、カメラ本体部２１に、撮影光学系２２、シャッターボタン２３、光学ファインダ２４、フラッシュ２５、ＬＣＤ（Liquid Crystal Display）２６、機能スイッチ２７、電源ボタン２８、カードスロット２９、モード設定スイッチ３０及び動き検出部３１を備えている。
【００８６】
撮影光学系２２は、カメラ本体部２１の前面右側に配設されており、被写体の光像を形成するものである。撮影光学系２２は、ズームレンズ群３２（図９参照）やフォーカスレンズ群３３（図９参照）等を有し、焦点距離の変更や焦点位置の調節を行う。
【００８７】
シャッターボタン２３は、途中まで押し込む半押し操作と完全に押し切る全押し操作との２段階で押圧操作されるボタンであり、主に後述する撮像素子３４（図９参照）による露光動作のタイミングを指示するためのものである。シャッターボタン２３の半押し操作が行われることで、露出制御値（シャッタースピード及び絞り値）等の設定が行われる撮像待機状態に設定され、全押し操作が行われることで、後述する画像記憶部３５（図９参照）に記録する被写体の画像を生成するための撮像素子３４による露光動作が開始される。
【００８８】
光学ファインダ２４は、カメラ本体部２１の背面左側上部に配設されており、被写体が撮影される範囲を光学的に表示するものである。
【００８９】
フラッシュ２５（内蔵フラッシュ）は、カメラ本体部２１の前面中央上部に配設されており、被写体からの光量が不足する場合などに図略の放電灯を放電させることにより被写体に照明光を照射するものである。
【００９０】
ＬＣＤ２６は、カメラ本体部２１の背面略中央部に配設されており、カラー液晶パネルを備えてなり、撮像素子３４により撮像された画像の表示や記録済みの画像の再生表示等を行うとともに、デジタルカメラ２０に搭載される機能やモードの設定画面を表示するものである。なお、ＬＣＤ２６に代えて、有機ＥＬやプラズマ表示装置であってもよい。
【００９１】
機能スイッチ２７は、ＬＣＤ２６の右側方に配設されており、撮影光学系２２のワイド方向又はテレ方向の駆動や、撮影モードにおける静止画撮影モード及び動画撮影モードの切り替え等を行うためのスイッチである。
【００９２】
電源ボタン２８は、カメラ本体部２１の背面上部であって機能スイッチ２７の左側に配設されており、押圧する毎に主電源のＯＮ／ＯＦＦが交互に切り換わるようになっている。
【００９３】
カードスロット２９は、カメラ本体部２１の一方側面に設けられており、複数の半導体記憶素子からなるメモリカードＭが装着される。
【００９４】
モード設定スイッチ３０は、カメラ本体部２１の背面上部に配設されており、上下にスライドする２接点式のスライドスイッチからなる。モード設定スイッチ３０をＡの位置にセットすると、デジタルカメラ２０は画像の被写体を行う撮影モードに、Ｂの位置にセットするとメモリカードＭに記録された撮影画像をＬＣＤ２６に再生表示する再生モードに設定される。
【００９５】
動き検出部３１は、カメラの動きを検出するためのものであり、図７の水平方向にＸ軸、該Ｘ軸に垂直な方向にＹ軸、Ｘ軸及びＹ軸の夫々に垂直な方向にＺ軸を想定するものとすると、Ｘ軸方向のカメラ１の動きを検出するＸセンサ３６と、Ｙ軸方向のカメラ１の動きを検出するＹセンサ３７と、Ｚ軸方向のカメラ１の動きを検出するＺセンサ３８とからなる。Ｘセンサ３６、Ｙセンサ３７及びＺセンサ３８は、例えば圧電素子を用いたジャイロから構成され、各方向のぶれの角速度を検出するものである。なお、動き検出部３１は、前述の加速度センサで構成してもよい。
【００９６】
次に、図９を参照して、デジタルカメラ２０の電気的な構成について説明する。なお、図７，図８と同一の部材等については、同一の符号を付している。
【００９７】
図９において、撮影光学系２２は、図７に示す撮影光学系２２に相当するものであり、ズームレンズ群３２及びフォーカスレンズ群３３を有する。動き検出部３１は、図７に示す動き検出部３１に相当するものであり、Ｘセンサ３６、Ｙセンサ３７及びＺセンサ３８を備えてなる。
【００９８】
レンズ駆動部３９は、撮影光学系２２のズームレンズ群３２を駆動するモータ、フォーカスレンズ群３３を駆動するモータを備えて構成されている。
【００９９】
撮像素子３４は、Ｒ（赤）、Ｇ（緑）、Ｂ（青）の各色成分を受光する画素を縦横方向に複数有する例えばＣＣＤカラーエリアセンサからなる撮像素子で、撮影光学系２２により撮像面上に結像された被写体の光像を、Ｒ（赤）、Ｇ（緑）、Ｂ（青）の色成分の画像信号に光電変換して出力するものである。
【０１００】
タイミング制御回路４０は、後述の全体制御部４７により制御される。タイミング制御回路４０は、基準クロックＣＬＫ０に基づいて、撮像素子３４の駆動制御信号、例えば露出開始／終了（積分開始／終了）のタイミング信号、各画素の受光信号の読出制御信号（水平同期信号，垂直同期信号，転送信号等）等のクロック信号ＣＬＫ１を生成し、このクロックＣＬＫ１を撮像素子７に出力するとともに、基準クロックＣＬＫ０に基づいてＡ／Ｄ変換用のクロックＣＬＫ２を生成し、このクロックＣＬＫ２をＡ／Ｄ変換部４２に出力する。
【０１０１】
信号処理部４１は、撮像素子３４から出力される画像信号（アナログ信号）に所定のアナログ信号処理を施すもので、撮像素子３４から出力される画像信号（アナログ信号）のノイズの低減を行うと共に、画像信号のレベル調整を行う。
【０１０２】
Ａ／Ｄ変換部４２は、信号処理部４１から入力された画像データの各画素信号（アナログ信号）を、タイミング制御回路４０から出力されるクロックＣＬＫ２に基づいて、所定ビット、例えば１０ビットのデジタル信号に変換するものである。
【０１０３】
画像処理部４３は、Ａ／Ｄ変換部４２によりＡ／Ｄ変換された画素信号（以下、画素データという。）の黒レベルを基準の黒レベルに補正する黒レベル補正、Ｒ（赤），Ｇ（緑），Ｂ（青）の各色成分の画素データのレベル変換を行うホワイトバランス補正及び画素データのγ特性を補正するγ補正等の処理を行うものである。
【０１０４】
画像メモリ４４は、撮影モード時には、画像処理部４３から出力される画素データを一時的に記憶するとともに、この画像データに対し全体制御部４７により所定の処理を行うための作業領域として用いられるメモリである。また、再生モード時には、画像記憶部３５から読み出した画像データを一時的に記憶するメモリである。
【０１０５】
ＶＲＡＭ４５は、ＬＣＤ２６に再生表示させる画像データのバッファメモリであり、ＬＣＤ２６の画素数に対応する画像データの記録容量を有する。
【０１０６】
画像記憶部３５は、前記メモリカードＭやハードディスクなどからなり、全体制御部４７で生成された画像を保存するものである。
【０１０７】
入力操作部４６は、シャッターボタン２３、モード設定スイッチ３０等の操作情報を全体制御部４７に入力するものである。
【０１０８】
全体制御部４７は、マイクロコンピュータからなり、上述したカメラ本体部２１内の各部材の駆動を関連付けて制御してデジタルカメラ２０の撮影動作を統括制御するものである。全体制御部４７は、ＣＰＵ４２のワーク用としてのＲＡＭと、デジタルカメラ２０に備えられる各種機能のプログラム等を記憶するＲＯＭとを有してなる記憶部を備える。
【０１０９】
また、全体制御部４７は、表示制御部４８と、判断部４９と、処理部５０とを備える。
【０１１０】
表示制御部４８は、カーソルが表示される各種の画面において、動き検出部３１からの検出信号に基づき、該カーソルの表示位置を変更する処理を行うものである。なお、デジタルカメラ２０の動きとカーソルの表示位置の移動方向及び移動量との関係は、前記第１の実施形態や変形形態［１］，［２］で述べたものを採用することができる。
【０１１１】
図１０（ａ），（ｂ）は、カーソルが表示される画面の一例を示す図である。
【０１１２】
図１０（ａ）は、焦点を合わせる位置を設定する画面の一例を示す図であり、この画面には一対の括弧でなるカーソルＣＬＳ２が表示される。図１０（ｂ）は、画像記憶部３５に記憶されている画像の指定や所定の指示を入力する画面を示す図であり、この画面には、画像記憶部３５に記憶されている画像のフォルダを示すキャラクタと、デジタルカメラの機能設定画面を表示する指示を入力するスパナを模したキャラクタと、画像を削除する指示を入力するためのゴミ箱を模したキャラクタと、矢印からなるカーソルＣＬＳ３とが表示されている。なお、図１０（ｂ）に示す画面においては、各キャラクタは、画面上に不規則に配列して表示されている。
【０１１３】
図１０（ａ），（ｂ）が表示されている場合に、前記第１の実施形態や変形形態［１］，［２］と同様に、デジタルカメラ１に動きが加えられると、表示制御部４８は、その動きに応じた方向に該動きに応じた移動量だけカーソルＣＬＳ２，ＣＬＳ３の表示位置を移動する。
【０１１４】
本実施形態のデジタルカメラ１による表示処理は、第１の実施形態の携帯電話機１による表示処理と略同様であり、前述したように、本デジタルカメラ２０においては、複数種類の画面においてカーソルが表示されることから、第１の実施形態のように、メニュー画面に限られない点が異なる。
【０１１５】
したがって、本実施形態では、図４に示すステップ♯１の「メニュー画面表示」処理に代えて「カーソルを含む画面の表示」処理となり、また、ステップ♯７の「メニュー画面表示終了」処理に代えて「当該画面表示終了」処理が行われる。また、ステップ♯３において設定項目（メニュー）の決定指示が入力される決定ボタン７のその機能は、本実施形態では、例えば機能スイッチ２７に割り当てられる。
【０１１６】
以上のように、デジタルカメラ１を動かす（デジタルカメラ１に動きを与える）ことで、ＬＣＤ２６に表示されるカーソルＣＬＳ２，ＣＬＳ３の表示位置を移動可能に構成したので、前記第１の実施形態等と同様に、デジタルカメラ１の操作性を向上することができるとともに、該カーソルＣＬＳ２，ＣＬＳ３の移動を指示するためのボタンやスイッチ等を設ける必要がない分、カメラの小型化やコストの低減を図ることができる。
【０１１７】
ところで、このようなデジタルカメラ１においては、手持ち撮影や望遠撮影、暗部での（長時間露光が必要な）撮影時において、手振れ等の「振れ」が発生する虞のある場合に対して確実な撮影を可能とするため、デジタルカメラ１にユーザの手振れ等による振れが与えられて前記光軸Ｌにずれが生じた場合に、ブレ補正用光学系や撮像素子をその振れに応じて適宜移動（揺動）させることで光軸Ｌのずれを補正する所謂手振れ補正機能が備えられている場合がある。
【０１１８】
そして、このような機能が搭載されるデジタルカメラ１にあっては、前述の振れを検出するために加速度センサや角速度センサ等の振れ検出センサが備えられている。
【０１１９】
そこで、この種のデジタルカメラ１に、デジタルカメラ１に動きを与えることで前記カーソルＣＬＳ２，ＣＬＳ３の表示位置を移動する機能を搭載する場合に、手振れ補正を行うべく設けられた前述の振れ検出センサを利用（兼用）することができる。
【０１２０】
これにより、振れ検出センサと別個に、カーソルＣＬＳ２，ＣＬＳ３の表示位置を変更するための角速度センサや加速度センサを設ける場合に比して、装置の大型化やコストアップを抑制することができる。
【０１２１】
なお、この種のデジタルカメラにカーソルＣＬＳ２，ＣＬＳ３の表示位置の変更機能を搭載する場合、一連の撮像処理の中で、少なくともシャッターボタン２３の全押し操作以降においては、前述したようなメニュー画面における機能の設定や合焦位置の設定は行われない。このことから、シャッターボタン２３の全押し操作以降においては、振れ検出センサを、手振れ補正用として利用し、例えば撮像準備期間を含むシャッターボタン２３の全押し操作が行われるまでの期間においては、該振れ検出センサを、カーソルＣＬＳ２，ＣＬＳ３の操作用として利用するとよい。
【０１２２】
［５］カーソルにより選択される設定項目は、図５に示すようにマトリックス状に配列される形態に限らず、１列に配列されていてもよいし、或る曲線に沿って配列されていてもよく、或いは、不規則に配列されていてもよい。
【０１２３】
［６］前記第１の実施形態では、携帯電話機１等の操作性を考慮して該携帯電話機１等の動きに対するカーソルの移動量、すなわち、携帯電話機１等の動きに対するカーソルの敏感度を設定したが、これに限らず、携帯電話機１等の移動量と同一量だけカーソルを移動してもよいし、あるいは携帯電話機１等の回転量や移動量に関係なく、１回の回転動作や移動動作に対して一定量だけカーソルを移動させるようにし、回転動作や移動動作の回数に比例して移動量を増加させるようにしてもよい。
【０１２４】
［７］本件にいう「指標」は、ドット（図１，図３、図５参照）や矢印（図１０（ｂ）参照）で表されたカーソルやポインタ等のように、設定項目とは別に設けられたものに限らず、反転表示や他の設定項目と異なる色で設定項目と一体的に表示して表されるものを含み、また、設定項目を選択するためのものに限られるものではなく、画像表示部に表示される画像全体のうちの特定の画像や一部分を指定するためのものを含むものである。
【０１２５】
［８］本件は、スクロール表示やページ切替表示等の表示技術と組み合わせてもよい。すなわち、例えば、表示部に表示する画面を所定のボタン等によりスクロールしたりページを切り替えたりした後、その時点で表示部に表示されている画面において、機器の動きに応じてカーソル等を移動させるようにしてもよい。
【０１２６】
［９］本件の技術の対象は、前記携帯電話機１やデジタルカメラに限られるものではなく、それ以外の機器、例えばゲーム機、携帯情報端末（ＰＤＡ：Personal Digital Assistant）、モバイルコンピュータ等の携帯通信機器にも適用することができる。
【０１２７】
また、本件技術が適用可能な画面は、前述のように設定項目（メニュー）を表形式で表示したものに限らず、例えば１画面内に写真や絵を複数表示し、その中から所望のものをカーソルで選択させる画面にも適用可能である。
【０１２８】
例えば複数の事務用品等が載置された机の画像を表示し、それらの事務用品のうちノートの画像をカーソルで選択するとメモ帳が開き、時計の画像をカーソルで選択すると時刻を表示し、カレンダーの画像をカーソルで選択すると予定表が開くような画面が表示されるように構成された例えばＰＤＡにおいて、前記机の画像が表示される画面に本件技術のカーソル移動を適用することができる。
【０１２９】
また、複数の商品が配列された店舗の画像を表示し、所望の商品がカーソルで選択されると、その商品を表す外国語を表示する画面が表示されるように構成された電子辞書において、前記店舗の画像が表示される画面に本件技術を適用することができる。
【０１３０】
さらには、例えばデジタルカメラにおいて、撮影した１つの画像の中の任意の被写体の画像に、例えば人物の名前や日付等のコメントを関連付けて記憶させるとともに、再生モードが選択され、該画像が表示部に表示されたときに、カーソルをその被写体の画像上に位置させると、該被写体の画像に関連付けられたコメントが表示部の所定位置に表示される機能を搭載した場合に、コメントを関連付ける被写体を選択する画面や、被写体の画像に関連付けられたコメントを表示させる画面にも本件の技術を適用することができる。
【０１３１】
［１０］前記第１の実施形態においては、決定ボタン７が押圧されると、その押圧時点におけるカーソルＣＳＬ１の位置に対応する設定項目で決定したものと判断して、画像表示部５にメニューの表示を終了させるようにしたが、これに限らず、その設定項目の下層に位置付けられる複数の設定項目を表示した画面を表示するようにしてもよい。
【０１３２】
［１１］画像表示部７の表示面に対する法線方向において、その表示面から裏面に向かう方向に携帯電話機１等が平行移動されると、画像表示部に表示される各設定項目の表示サイズが小さくなって多くの設定項目が表示され、裏面から表示面に向かう方向に携帯電話機１等が平行移動されると、表示される設定項目の数が少なくなることで画像表示部に表示される各設定項目の表示サイズが大きくなるように表示されるようにしてもよい。
【図面の簡単な説明】
【０１３３】
【図１】本発明の一実施形態を示し、携帯電話機の外観斜視図である。
【図２】携帯電話機の電気的な構成を示すブロック図である。
【図３】携帯電話機の動きに応じた表示制御部によるカーソルの表示位置変更処理を説明するための図である。
【図４】本実施形態の携帯電話機による表示処理を示すフローチャートである。
【図５】携帯電話機に与えられた動きに対するカーソルの表示位置の移動を説明するための図である。
【図６】携帯電話機の加速度に応じてカーソルを移動させる場合における携帯電話機の動きに応じた表示制御部によるカーソルの表示位置変更処理を説明するための図である。
【図７】本発明の他の実施形態を示し、デジタルカメラの構成を示す正面図である。
【図８】デジタルカメラの構成を示す背面図である。
【図９】デジタルカメラの電気的な構成を示すブロック図である。
【図１０】カーソルが表示される画面の一例を示す図である。
【図１１】従来の携帯電話機の構成を示す外観図である。
【符号の説明】
【０１３４】
５    画像表示部
８，３１    動き検出部
１７，４８  表示制御部
２２    撮影光学系
３４    撮像素子
【図１】
2006146455.tif 000003
【図２】
2006146455.tif 000004
【図３】
2006146455.tif 000005
【図４】
2006146455.tif 000006
【図５】
2006146455.tif 000007
【図６】
2006146455.tif 000008
【図７】
2006146455.tif 000009
【図８】
2006146455.tif 000010
【図９】
2006146455.tif 000011
【図１０】
2006146455.tif 000012
【図１１】
2006146455.tif 000013